(57)【要約】【課題】ピンの破損や磨耗等の不具合をコストを抑えて簡単に解消することができるプリンタヘッドおよびそのプリンタヘッドを備えたプリンタを提供する。【解決手段】インクリボンを先端で叩く複数の第１ピン１１１と、複数の第１ピン１１１それぞれを長さ方向にスライド自在に保持する第１筐体１１２と、複数の第１ピン１１１それぞれを後端側へと付勢する第１コイルバネ１１３とを備えたヘッド先端部１１０、および、複数の第１ピン１１１と１対１に対応し、１ピン１１１の後端に当接して先端で１ピン１１１を押す複数の第２ピン１２１と、ヘッド先端部１１０が着脱自在に固定される、複数の第２ピン１２１それぞれを長さ方向にスライド自在に保持する第２筐体１２２と、複数の第２ピン１２２それぞれを長さ方向に駆動するアーマチュア１２３３とを備えたヘッド本体部１２０を備えた。【選択図】        図２
2009291944.tif 000002
【特許請求の範囲】
【請求項１】
インクリボンを先端で叩く複数の第１ピンと、
前記複数の第１ピンそれぞれを該第１ピンの長さ方向にスライド自在に保持する第１筐体と、
前記複数の第１ピンそれぞれを前記先端に対する後端側へと付勢する第１ピン付勢部材とを備えたヘッド先端部；および
前記複数の第１ピンと１対１に対応し、該第１ピンの後端に当接して先端で該第１ピンを押す複数の第２ピンと、
前記ヘッド先端部が着脱自在に固定される、前記複数の第２ピンそれぞれを該第２ピンの長さ方向にスライド自在に保持する第２筐体と、
前記複数の第２ピンそれぞれを、該第２ピンの長さ方向に駆動する駆動部とを備えたヘッド本体部；
を備えたことを特徴とするプリンタヘッド。
【請求項２】
前記第２ピンが、該第２ピンにおける前記先端に対する後端が前記駆動部に固着されたものであり、
前記駆動部が、前記第２ピンの後端を動かすことで該第２ピンを駆動するものであることを特徴とする請求項１記載のプリンタヘッド。
【請求項３】
前記駆動部が、
所定の回動中心の周りに回動自在に前記第２筐体に保持され、一端に、前記第２ピンにおける前記先端に対する後端が固着された、磁石に引き付けられる性質を有する金属製の回動部材と、
前記回動部材を、前記第２ピンの先端に対する後端側に付勢する駆動部付勢部材と、
電流の供給を受けて、前記回動部材を、前記第２ピンの先端側に引きつける電磁石とを有したものであることを特徴とする請求項１又は２記載のプリンタヘッド。
【請求項４】
前記第１ピン付勢部材がコイルバネであり、
前記第１ピンが、前記コイルバネの内側を挿通しているものであることを特徴とする請求項１から３のうちいずれか１項記載のプリンタヘッド。
【請求項５】
前記第１ピン付勢部材がコイルバネであり、
前記第１ピンが、前記コイルバネの外径以上の太さを有する箇所と、前記コイルバネの内径よりも細く括れた箇所とを有しており、該第１ピンにおけるその括れた箇所が該コイルバネの内側を挿通しているものであることを特徴とする請求項１から４のうちいずれか１項記載のプリンタヘッド。
【請求項６】
請求項１から５のうちいずれか１項記載のプリンタヘッドを備えたことを特徴とするプリンタ。
【発明の詳細な説明】
【技術分野】
【０００１】
本発明は、インクリボンを叩くことで用紙にプリントを行うインパクトプリンタに備えられるプリンタヘッドおよびそのプリンタヘッドを備えたプリンタに関する。
【背景技術】
【０００２】
従来、インクリボンを叩くことで用紙にプリントを行うインパクトプリンタが使われている。特に、複数のピンの先端でインクリボンを叩くことで、各ピンの先端によって打たれるドットの配列で文字や図形等を形成するタイプのインパクトプリンタは、プリントできる文字や図形についての自由度の高さから広く普及している。以下、このタイプのインパクトプリンタのことを単にインパクトプリンタと呼ぶ。
【０００３】
このようなインパクトプリンタは、上記の複数のピンを内蔵したプリンタヘッドを備えている（例えば、特許文献１参照）。このプリンタヘッドには、インパクトプリンタに搭載されたときにインクリボンに対向する対向面に、例えば２列縦隊やダイヤ型等の形に配列された、上記のピンの数と同数の微小な貫通孔が設けられている。そして、インパクトプリンタでは、このプリンタヘッドにおいて所望の文字や図形の形に対応した箇所の貫通孔からピンが突き出され、各ピンによってインクリボンが叩かれることで、それらの文字や図形が用紙にプリントされることとなる。
【０００４】
インパクトプリンタによるプリント中は、インパクトプリンタ内でプリンタヘッドが動かされる。ここで、用紙の中には、例えばミシン目等の凹凸が設けられているものがあるが、インパクトプリンタでは、このような凹凸を有する用紙に対するプリントの最中に上記のピンの先端が、その凹凸に引っ掛かって折れてしまう等といった不具合が発生することがある。
【０００５】
また、インパクトプリンタによるプリント中は、インクリボンが高速で循環移動している。その結果、プリント中は、上記のピンの先端が絶えずインクリボンによって摺擦されることとなりピンの先端に磨耗が生じる。そして、その磨耗が進んでピンが短くなりすぎると、インクリボンを叩く力が弱まり、プリント濃度の低下等といった不具合が発生する可能性が高まる。
【０００６】
ここで、従来、プリンタヘッドでは、上記のピンが、各ピンを動かすための駆動機構に固着された構造となっているために、プリンタヘッドにおいてピンの破損や磨耗等が生じたときには、プリンタヘッドを新品と交換する必要があり、このようなプリンタヘッドの交換が、インパクトプリンタにおけるコストアップの要因となっている。
【０００７】
そこで、上記のピンが上記の駆動機構に着脱可能に取付けられたプリンタヘッド（例えば、特許文献２参照）や、ピンが駆動機構から完全に分離されたプリンタヘッド（例えば、特許文献３参照）等が提案されている。これらのようなプリンタヘッドによれば、ピンの破損や磨耗等の不具合が生じたときには、破損や磨耗等が生じたピンを新品と交換することで不具合を解消することができるので、プリンタヘッドを新品と交換しなくても良く、インパクトプリンタにおけるコストを低減させることができる。
【特許文献１】特開平５−１４７２３５号公報
【特許文献２】特開昭６０−１０９８５７号公報
【特許文献３】特開昭６３−９９９６２号公報
【発明の開示】
【発明が解決しようとする課題】
【０００８】
しかしながら、上記のようにピンを新品と交換することが可能なプリンタヘッドには、このようなピンの交換に伴うプリンタヘッドの分解作業や組立作業が非常に煩雑でありユーザの負担となるという問題がある。そのため、ピンの破損や磨耗等の不具合をコストを抑えて簡単に解消することができるプリンタヘッドが望まれている。
【０００９】
本件は、上記事情に鑑み、ピンの破損や磨耗等の不具合をコストを抑えて簡単に解消することができるプリンタヘッドおよびそのプリンタヘッドを備えたプリンタを提供することを目的とする。
【課題を解決するための手段】
【００１０】
上記目的を達成するプリンタヘッドの基本形態は、
インクリボンを先端で叩く複数の第１ピンと、
上記複数の第１ピンそれぞれをその第１ピンの長さ方向にスライド自在に保持する第１筐体と、
上記複数の第１ピンそれぞれを上記先端に対する後端側へと付勢する第１ピン付勢部材とを備えたヘッド先端部；および
上記複数の第１ピンと１対１に対応し、その第１ピンの後端に当接して先端でその第１ピンを押す複数の第２ピンと、
上記ヘッド先端部が着脱自在に固定される、上記複数の第２ピンそれぞれをその第２ピンの長さ方向にスライド自在に保持する第２筐体と、
上記複数の第２ピンそれぞれを、その第２ピンの長さ方向に駆動する駆動部とを備えたヘッド本体部；
を備えたことを特徴とする。
【００１１】
このプリンタヘッドの基本形態によれば、インクリボンを叩く、上述の破損や磨耗等の不具合が生じる可能性のあるピンが、上記ヘッド先端部を構成している上記第１ピンであることから、そのような不具合が発生したときには、そのヘッド先端部を新品と交換することで、そのような不具合を解消することができる。このヘッド先端部には、このプリンタヘッドの基本形態において相対的に高価である上記駆動部が含まれておらず、ヘッド先端部は、この駆動部を含むヘッド本体部に比べて安価である。つまり、このプリンタヘッドの基本形態によれば、ピンの破損や磨耗等の不具合をコストを抑えて解消することができる。また、このヘッド先端部は、上記第２筐体に固定されることで、ヘッド本体部と組み合わされているが、このプリンタヘッドの基本形態では、このヘッド先端部の第２筐体への固定が着脱自在となっている。このため、このプリンタヘッドの基本形態によれば、ヘッド先端部のヘッド本体部からの取外しや、ヘッド先端部のヘッド本体部への取り付けが簡単であり、ピンの破損や磨耗等の不具合を簡単に解消することができる。このように、このプリンタヘッドの基本形態によれば、ピンの破損や磨耗等の不具合をコストを抑えて簡単に解消することができる。
【００１２】
また、上記目的を達成するプリンタの基本形態は、
上述のプリンタヘッドの基本形態を備えたことを特徴とする。
【発明の効果】
【００１３】
以上、説明したように、本件によれば、ピンの破損や磨耗等の不具合をコストを抑えて簡単に解消することができるプリンタヘッドおよびそのプリンタヘッドを備えたプリンタを得ることができる。
【発明を実施するための最良の形態】
【００１４】
以下、基本形態について説明したプリンタヘッドの具体的な実施形態について、図面を参照して説明する。
【００１５】
まず、基本形態について説明したプリンタヘッドの具体的な第１実施形態について説明する。
【００１６】
図１は、基本形態について説明したプリンタヘッドの具体的な第１実施形態であるプリンタヘッドを示す図である。
【００１７】
この図１のパート（ａ）には、プリンタヘッド１００の外観斜視図が示されており、パート（ｂ）には、そのプリンタヘッド１００が不図示のインパクトプリンタに搭載されたときにインクリボン１５０に対向する対向面１１０ａの拡大図が示されている。
【００１８】
この図１に示すプリンタヘッド１００は、上記の対向面１１０ａを有するヘッド先端部１１０と、このヘッド先端部１１０が４本の小ネジ１３０で着脱自在に取り付けられるヘッド本体部１２０とで構成されている。
【００１９】
ヘッド先端部１１０の対向面１１０ａには、２４個の貫通孔１１０ｂが、図１のパート（ｂ）に示す配列で設けられている。そして、ヘッド先端部１１０には、２４本の金属製の第１ピン１１１が収納されており、各第１ピン１１１は、このヘッド先端部１１０の中で、先端が各貫通孔１１０ｂから外部に突出した突出位置と、先端が各貫通孔１１０ｂの中に引っ込んだ収納位置との間で長さ方向にスライド自在に保持されている。
【００２０】
このプリンタヘッド１００を備えたインパクトプリンタでは、ヘッド先端部１１０に収納されている２４本の第１ピン１１１が適宜に上記の突出位置までスライドし、各第１ピン１１１の先端がインクリボン１５０を叩くことで微小なドットが用紙に打たれ、これらのドットの配列からなる文字や図形が用紙にプリントされる。
【００２１】
プリンタヘッド１００では、このような第１ピン１１１のスライドが、次のように行われる。
【００２２】
本実施形態では、ヘッド本体部１２０に、２４本の第１ピン１１１と一対一に対応し、各々が第１ピン１１１の後端に当接して第１ピン１１１を押す２４本の金属製の第２ピン１２１が内蔵されている。そして、各第２ピン１２１が第１ピン１１１を押すことで、各第１ピン１１１が突出位置までスライドしてインクリボン１５０を叩くこととなる。
【００２３】
また、ヘッド本体部１２０には、各第２ピン１２１の後端がロウ付けにより固着された２４個の金属製のアーム部１２３１が、図１のパート（ａ）に示すように放射状に配列されている。各アーム部１２３１は、後述のアーマチュアの構成要素となっており、各々、ヘッド本体部１２０内に、所定の回動中心１２３１ａの周りに回動自在に取り付けられている。そして、アーマチュアの動作に従って各アーム部１２３１が、この回動中心１２３１ａの周りに矢印Ｄ１が示す方向に回動すると、このアーム部１２３１によって第２ピン１２１がヘッド先端部１１０側にスライドされて第１ピン１１１を押すこととなる。
【００２４】
プリンタヘッド１００は、ヘッド先端部１１０内の２４本の第１ピン１１１と、ヘッド本体部１２０内の２４本の第２ピン１２１との上述したような動きによって、文字や図形のプリントを行う。ここで、本実施形態では、上述したように、ヘッド先端部１１０が、ヘッド本体部１２０に、４本の小ネジ１３０によって着脱自在に取り付けられている。そのため、インクリボン２２０を叩く第１ピン１１１に破損や磨耗等の不具合が生じたときには、この第１ピン１１１を収納したヘッド先端部１１０を新品と交換することで、そのような不具合を解消することができる。
【００２５】
以下、この図１に示すプリンタヘッド１００の詳細な内部構造について説明する。
【００２６】
図２は、図１に示すプリンタヘッドの詳細な内部構造を示す図である。
【００２７】
この図２のパート（ａ）には、図１に示すプリンタヘッド１００の内部構造が、図１に示すように放射状に並ぶ２４個のアーム部１２３１のうち、線対称の位置関係にある２個のアーム部１２３１と、各アーム部１２３１に固着された２本の第２ピン１２１と、各第２ピン１２１によって押される２本の第１ピン１１１とが見える模式的な断面図によって示されている。また、図２のパート（ｂ）には、ヘッド先端部１１０が、ヘッド本体部１２０から分離された状態が示されている。
【００２８】
まず、ヘッド先端部１１０について説明する。
【００２９】
ヘッド先端部１１０は、まず、上述した２４本の第１ピン１１１と、各第１ピン１１１を上記の突出位置と収納位置との間で、矢印Ｄ２が示す長さ方向にスライド自在に保持する第１筐体１１２とを備えている。
【００３０】
第１筐体１１２は、ヘッド本体部１２０側が窪んだ形状を有しており、ヘッド本体部１２０の一部が、この窪みに嵌入するようになっている。そして、図２のパート（ｂ）に示すように、この第１筐体１１２の窪みに、ヘッド本体部１２０の一部が嵌入し、４本の小ネジ１３０によって両者が互いに結合されることでヘッド先端部１１０がヘッド本体部１２０に取り付けられることとなる。
【００３１】
また、この第１筐体１１２では、上記の窪みとは反対側が、上記の対向面１１０ａとなっており、この対向面１１０ａに開口を有する２４個の貫通孔１１０ｂが設けられている。そして、各貫通孔１１０ｂに、各第１ピン１１１が、各第１ピンを矢印Ｄ３が示す後端側に付勢する第１コイルバネ１１３と共に、その第１コイルバネ１１３の内側を挿通するように収められている。
【００３２】
各第１ピン１１１の後端は、鍔状に広がった形状を有しており、上記の第１コイルバネ１１３は、その鍔状に広がった部分を矢印Ｄ３が示す方向に付勢している。そして、第１筐体１１２における上記の窪みの底には、付勢されている各第１ピン１１１が脱落しないように、各第１ピン１１１の後端を押さえる押え部材１１４が取り付けられている。また、この押え部材１１４には、各第１ピン１１１の後端に対応した位置に、各後端における鍔状の広がりよりは小さな内径を有する２４個の貫通孔が設けられている。本実施形態では、この押え部材１１４の貫通孔に、ヘッド本体部１２０からスライドしてきた第２ピン１２１の先端が進入し、その先端が第１ピン１１１の後端を押すことで、各第１ピン１１１が、上記の第１コイルバネ１１３の付勢力に抗して上記の突出位置までスライドすることとなる。逆に、第２ピン１２１の先端がヘッド本体部１２０側に後退すると、各第１ピン１１１が第１コイルバネ１１３の付勢力によって上記の収納位置までスライドすることとなる。
【００３３】
また、第１筐体１１２における各貫通孔１１０ｂは、基本的に、第１ピン１１１の後端における鍔状の広がりより大きな内径を有しており、上記の対向面１１０ａ側の一部の内径が、第１ピン１１１の先端側の太さより若干大きい内径まで狭まっている。このような形状により、各貫通孔１１０ｂは、第１ピン１１１の、矢印Ｄ２が示す長さ方向へのスライドに対するガイドの役割を果たしている。
【００３４】
次に、ヘッド本体部１２０について説明する。
【００３５】
このヘッド本体部１２０は、まず、上述した２４本の第２ピン１２１と、各第２ピン１２１を、矢印Ｄ４が示す長さ方向にスライド自在に保持する第２筐体１２２とを備えている。
【００３６】
第２筐体１２２には、２４本の第２ピン１２１それぞれの先端を、上記のヘッド先端部１１０内の２４本の第１ピン１１１それぞれの後端へと案内するガイドの役割を果たす２４個の貫通孔１２２ａが設けられている。本実施形態では、この第２筐体１２２における２４個の貫通孔１２２ａの、ヘッド先端部１１０側の開口の位置と、ヘッド先端部１１０の第１筐体１１２における２４個の貫通孔１１０ｂの、ヘッド本体部１２０側の開口の位置とが互いに重なり合うように精密に位置出しが行われている。
【００３７】
また、ヘッド本体部１２０は、上記のアーム部１２３１を有し、各第２ピン１２１を矢印Ｄ４が示す長さ方向にスライドさせる役割を果たす２４個のアーマチュア１２３を備えている。
【００３８】
各アーマチュア１２３は、上記の金属製のアーム部１２３１と、このアーム部１２３１を、矢印Ｄ５が示す、第２ピン１２１の後端側に付勢する第２コイルバネ１２３２と、電流の供給を受けて、アーム部１２３１を、第２コイルバネ１２３２による付勢力に抗して、図１にも示した矢印Ｄ１が示すように、第２ピン１２１の先端側に引きつける電磁石１２３３とで構成されている。また、電磁石１２３３は、所定のコア部材１２３３ａと、そのコア１２３３ａに巻かれたコイル１２３３ｂと、そのコイル１２３３ｂに対する電流の供給口である２つの端子１２３３ｃとで構成されている。
【００３９】
さらに、ヘッド本体部１２０は、各アーマチュア１２３におけるアーム部１２３１の、第２コイルバネ１２３２からの付勢力による動きを規制するストッパ１２４と、各アーマチュア１２３における電磁石１２３３の端子１２３３ｃが接続され、適宜に各電磁石１２３３に電流を供給するための回路基板１２５とを備えている。
【００４０】
ここで、上記のプリンタヘッドの基本形態に対し、
「上記第２ピンが、その第２ピンにおける上記先端に対する後端が上記駆動部に固着されたものであり、
上記駆動部が、上記第２ピンの後端を動かすことでその第２ピンを駆動するものである」という応用形態や、
「上記駆動部が、
所定の回動中心の周りに回動自在に上記第２筐体に保持され、一端に、上記第２ピンにおける上記先端に対する後端が固着された、磁石に引き付けられる性質を有する金属製の回動部材と、
上記回動部材を、上記第２ピンの先端に対する後端側に付勢する駆動部付勢部材と、
電流の供給を受けて、上記回動部材を、上記第２ピンの先端側に引きつける電磁石とを有したものである」という応用形態は好適である。
【００４１】
これらの好適な応用形態によれば、上記第２ピンが上記駆動部に固着されていること等から、上記のような不具合が生じたときの非交換対象である上記ヘッド本体部が強固に構成されており、このヘッド本体部での不具合の発生が抑制されることとなる。
【００４２】
また、上記のプリンタヘッドの基本形態に対し、
「上記第１ピン付勢部材がコイルバネであり、
上記第１ピンが、上記コイルバネの内側を挿通しているものである」という応用形態も好適である。
【００４３】
この好適な応用形態によれば、上記第１ピンが上記コイルバネの内側を挿通した形態とすることにより、上記ヘッド先端部における上記第１ピンや上記コイルバネの配置スペースが抑制されるので、このヘッド先端部が小型化され、延いては、プリンタヘッドが小型化されることとなる。
【００４４】
図２に示すプリンタヘッド１００のヘッド先端部１１０は、上記のプリンタヘッドの基本形態におけるヘッド先端部の一例に相当し、ヘッド本体部１２０は、この基本形態におけるヘッド本体部の一例に相当する。また、上記の第１ピン１１１は、この基本形態における第１ピンの一例に相当し、第１筐体１１２は、この基本形態における第１筐体の一例に相当し、第１コイルバネ１１３は、上記のプリンタヘッドの応用形態におけるコイルバネの一例に相当する。また、上記の第２ピン１２１は、この基本形態における第２ピンの一例に相当し、第２筐体１２２は、この基本形態における第２筐体の一例に相当し、アーマチュア１２３は、この基本形態および上記の応用形態における駆動部の一例に相当する。さらに、アーマチュア１２３を構成するアーム部１２３１、第２コイルバネ１２３２、および電磁石１２３３は、それぞれ上記の応用形態における回動部材、駆動部付勢部材、および電磁石の各一例に相当する。
【００４５】
本実施形態では、電磁石１２３３に電流が供給されていないときには、各アーマチュア１２３におけるアーム部１２３１が、第２コイルバネ１２３２の付勢力によってストッパ１２４に押し付けられた状態で安定している。その結果、このアーム部１２３１によって第２ピン１２１が、このストッパ１２４側に引っ込んだ状態になっている。また、このときには、ヘッド先端部１１０の第１ピン１１１の後端が第２ピン１２１によって押されないので、この第１ピン１１１が、上記の第１コイルバネ１１３の付勢力によって押え部材１１４側に引かれて、先端が対向面１１０ｂから引っ込んだ収納位置で安定している。
【００４６】
そして、２４個のアーマチュア１２３のうちいずれかのアーマチュア１２３の電磁石１２３３に電流が供給されると、そのアーマチュア１２３のアーム部１２３１が、電磁石１２３３に引き付けられて、第２コイルバネ１２３２の付勢力に抗して回動中心１２３１ａの周りに矢印Ｄ１が示す方向に回動する。すると、そのアーム部１２３１に固着されている第２ピン１２１がヘッド先端部１１０側にスライドし、ヘッド先端部１１０に進入して第１ピン１１１の後端に当接してその第１ピン１１１を押す。その結果、その第１ピン１１１が、第１コイルバネ１１３の付勢力に抗して、先端が対向面１１０ａから突き出た突出位置までスライドすることとなる。一方、この突出位置までスライドした第１ピン１１１に対応するアーマチュア１２３の電磁石１２３３への電流の供給が絶たれると、第２コイルバネ１２３２の付勢力によって第２ピン１２１が引っ込んで、第１ピン１１１が、第１コイルバネ１１３の付勢力によって収納位置までスライドすることとなる。
【００４７】
本実施形態では、２４個のアーマチュア１２３の電磁石１２３３への電流の供給が、不図示のインパクトプリンタにおける制御回路によって制御される。この制御により、文字や図形の形に対応した箇所の第１ピン１１１が突出位置にスライドして、先端でインクリボン１５０を叩き、用紙上に、それらの文字や図形がドットで形成されることとなる。
【００４８】
また、上述したように、本実施形態では、ヘッド本体部１２０に対するヘッド先端部１１０の取付けや取外しが、４個の小ネジ１３０の取付けや取外しによって簡単に行われる。これにより、上述したように、インクリボン２２０を叩く第１ピン１１１に破損や磨耗等の不具合が生じたときには、ヘッド先端部１１０を新品と交換することで、そのような不具合を解消することができる。また、図１および図２に示すプリンタヘッド１００では、相対的に高価な部品である上記の２４個のアーマチュア１２３３がヘッド本体部１２０に収納されている。このため、ヘッド先端部１１０は、ヘッド本体部１２０に比べて安価である。つまり、このプリンタヘッド１００では、ピンの破損や磨耗等の不具合をコストを抑えて解消することができる。
【００４９】
以上、説明したように、基本形態について説明したプリンタヘッドの具体的な第１実施形態のプリンタヘッド１００によれば、ピンの破損や磨耗等の不具合をコストを抑えて簡単に解消することができる。
【００５０】
次に、基本形態について説明したプリンタヘッドの具体的な第２実施形態について説明する。
【００５１】
図３は、基本形態について説明したプリンタヘッドの具体的な第２実施形態であるプリンタヘッドを示す図である。
【００５２】
尚、この第２実施形態については、外観は、図１に示す第１実施形態のプリンタヘッド１００の外観と同じであるので、ここでは、外観についての図示を省略し、この図３に、内部構造のみを示す。また、この図３では、図１に示す第１実施形態のプリンタヘッド１００の構成部品と同等な構成部品については図１と同じ符号を付して示されており、以下では、これら同等な構成部品については重複説明を省略する。
【００５３】
この図３のパート（ａ）には、プリンタヘッド１００の内部構造が、模式的な断面図によって示されている。また、図３のパート（ｂ）には、ヘッド先端部２１０が、ヘッド本体部２２０から分離された状態が示されている。
【００５４】
この第２実施形態のプリンタヘッド２００は、ヘッド先端部２１０に収納されている第１ピン２１１、第１コイルバネ２１３、第１筐体２１２における各貫通孔２１０ｂ、および、ヘッド本体部２２０に収納されている第２ピン２２１が、上記の第１実施形態のプリンタヘッド１００とは異なっている。
【００５５】
本実施形態では、第１コイルバネ２１３の外径が、第１ピン２１１の最外径と等しくなっており、さらに、第１ピン２１１が、この第１コイルバネ２１３の内径よりも括れた形状を有している。そして、この第１ピン２１１における括れた部分が、第１コイルバネ２１３の内側を挿通している。
【００５６】
ここで、上記のプリンタヘッドの基本形態に対し、
「上記第１ピン付勢部材がコイルバネであり、
上記第１ピンが、上記コイルバネの外径以上の太さを有する箇所と、上記コイルバネの内径よりも細く括れた箇所とを有しており、その第１ピンにおけるその括れた箇所がそのコイルバネの内側を挿通しているものである」という応用形態も好適である。
【００５７】
この好適な応用形態によれば、上記第１ピンが、上記第１ピンの外径以下の外径のコイルバネの内側を挿通した形態となり、上記ヘッド先端部における上記第１ピンや上記付勢部材の配置間隔が抑制されるので、このヘッド先端部が小型化され、延いては、プリンタヘッドが小型化されることとなる。
【００５８】
ここで、図３に示すヘッド先端部２１０は、上記のヘッドプリンタの基本形態におけるヘッド先端部の一例に相当し、ヘッド本体部２２０は、この基本形態におけるヘッド本体部の一例に相当する。また、上記の第１ピン２１１は、上記のヘッドプリンタの応用形態における第１ピンの一例に相当し、第１コイルバネ２１３は、この応用形態におけるコイルバネの一例に相当する。また、第２ピン２２１は、上記の基本形態における第２ピンの一例に相当する。
【００５９】
本実施形態では、第１ピン２１１の、ヘッド本体部２２０側の後端は、上記の括れた部分と同じ太さまで細くなっているとともに、この細くなった後端が、図３のパート（ａ）に示すように、ヘッド先端部２１０がヘッド本体部２２０に取り付けられた状態でヘッド本体部２２０に進入する長さまで延びている。そして、ヘッド先端部２１０には、各第１ピン２１１の後端に対応した位置に、各後端における最外径より小さな内径を有する、各第１ピン２１１の後端が挿通する２４個の貫通孔が設けられ、各第１ピン２１１が脱落しないように、各第１ピン２１１を押さえる押え部材２１４が取り付けられている。
【００６０】
一方、第１ピン２１１の、対向面２１０ａ側の先端は、この第１ピン２１１の最外径の太さとなっており、第１筐体２１２には、この第１ピン２１１形状に応じた形状の２４個の貫通孔２１０ｂが設けられている。
【００６１】
また、ヘッド本体部２２０に収納されている第２ピン２２１は、ヘッド先端部２１０がヘッド本体部２２０に取り付けられた状態で第１ピン２１１の後端がヘッド本体部２２０に進入する分だけ、図２に示す第１実施形態の第２ピン１２１よりも短くなっている。
【００６２】
以下、この第２実施形態のプリンタヘッド２００の動作について説明する。
【００６３】
まず、電磁石１２３３に電流が供給されていないときには、各アーマチュア１２３におけるアーム部１２３１が、第２コイルバネ１２３２の付勢力によってストッパ１２４に押し付けられた状態で安定している。その結果、このアーム部１２３１によって第２ピン１２１が、このストッパ１２４側に引っ込んだ状態になっている。また、このときには、ヘッド先端部２１０の第１ピン２１１の後端が第２ピン２２１によって押されないので、この第１ピン２１１が、上記の第１コイルバネ２１３の付勢力によって押え部材２１４側に引かれて、先端が対向面２１０ｂから引っ込んだ収納位置で安定している。
【００６４】
そして、２４個のアーマチュア１２３のうちいずれかのアーマチュア１２３の電磁石１２３３に電流が供給されると、そのアーマチュア１２３のアーム部１２３１が、電磁石１２３３に引き付けられて、第２コイルバネ１２３２の付勢力に抗して回動中心１２３１ａの周りに矢印Ｄ１が示す方向に回動する。すると、そのアーム部１２３１に固着されている第２ピン２２１がヘッド先端部１１０側にスライドして第１ピン２１１の後端に当接してこの第１ピン２１１を押す。その結果、その第１ピン２１１が、第１コイルバネ２１３の付勢力に抗して、先端が対向面２１０ａから突き出た突出位置までスライドすることとなる。一方、この突出位置までスライドした第１ピン２１１に対応するアーマチュア１２３の電磁石１２３３への電流の供給が絶たれると、第２コイルバネ１２３２の付勢力によって第２ピン２２１が引っ込んで、第１ピン２１１が、第１コイルバネ２１３の付勢力によって収納位置までスライドすることとなる。
【００６５】
本実施形態でも、上述の第１実施形態と同様に、２４個のアーマチュア１２３の電磁石１２３３への電流の供給が、不図示のインパクトプリンタにおける制御回路によって制御される。この制御により、文字や図形の形に対応した第１ピン２１１が突出位置にスライドして、先端でインクリボン１５０を叩き、用紙上に、それらの文字や図形がドットで形成されることとなる。
【００６６】
また、上述したように、本実施形態でも、上述の第１実施形態と同様に、ヘッド本体部２２０に対するヘッド先端部２１０の取付けや取外しが、４個の小ネジ１３０の取付けや取外しによって簡単に行われる。これにより、このプリンタヘッド２００でも、ピンの破損や磨耗等の不具合をコストを抑えて解消することができる。
【００６７】
さらに、本実施形態では、ヘッド先端部２１０において、第１ピン２１１における括れた部分が、第１コイルバネ２１３の内側を挿通した構造が採用され、この第１コイルバネ２１３の外径が、第１ピン２１１の最外径と等しくなっている。このため、各第１ピン２１１間の間隔を、この第１ピン２１１の最外径よりも若干長い程度まで近付けることができる。これにより、本実施形態では、ヘッド先端部２１０、延いてはプリンタヘッド２００全体の小型化が図られている。ちなみに、本実施形態では、第１ピン２１１の最外径が「０．２ｍｍ」、第１ピン２１１の括れた部分の太さが「０．１ｍｍ」、各第１ピン２１１間の間隔が「０．２８ｍｍ」となっている。
【００６８】
以上、説明したように、基本形態について説明したプリンタヘッドの具体的な第２実施形態のプリンタヘッド２００によれば、ピンの破損や磨耗等の不具合をコストを抑えて簡単に解消することができる。さらに、この第２実施形態のプリンタヘッド２００では、各第１ピン２１１間の間隔を、この第１ピン２１１の最外径よりも若干長い程度まで近付けることで、小型化が図られている。
【００６９】
尚、上記では、基本形態について説明したプリンタヘッドの実施形態として、第１ピンや第２ピンがそれぞれ２４本備えられているプリンタヘッドを例示したが、これに限るものではなく、基本形態について説明したプリンタヘッドは、第１ピンや第２ピンがそれぞれ２４本以外の本数となっているもの等であっても良い。
【図面の簡単な説明】
【００７０】
【図１】基本形態について説明したプリンタヘッドの具体的な第１実施形態であるプリンタヘッドを示す図である。
【図２】図１に示すプリンタヘッドの詳細な内部構造を示す図である。
【図３】基本形態について説明したプリンタヘッドの具体的な第２実施形態であるプリンタヘッドを示す図である。
【符号の説明】
【００７１】
１００，２００    プリンタヘッド
１１０，２１０    ヘッド先端部
１１０ａ，２１０ａ    対向面
１１０ｂ，１２２ａ，２１０ｂ    貫通孔
１１１，２１１    第１ピン
１１２，２１２    第１筐体
１１３，２１３    第１コイルバネ
１１４，２１４    押え部材
１２０，２２０    ヘッド本体部
１２１，２２１    第２ピン
１２２    第２筐体
１２３    アーマチュア
１２３１    アーム部
１２３１ａ    回動中心
１２３２    第２コイルバネ
１２３３    電磁石
１２３３ａ    コア
１２３３ｂ    コイル
１２３３ｃ    端子
１２４    ストッパ
１２５    回路基板
１３０    小ネジ
１５０    インクリボン
【図１】
2009291944.tif 000003
【図２】
2009291944.tif 000004
【図３】
2009291944.tif 000005